(57)【要約】【課題】処理ユニットをアップグレードする場合に監視制御装置のインタフェース及び伝送方式に適応しない場合であっても、処理ユニットを互換改修することなく簡単に交換することのできる監視制御システム及び処理ユニットを提供する。【解決手段】監視制御システムにおける処理ユニット１０−１は、インタフェース部３０−１を備え、インタフェース部３０−１には監視制御装置２０と接続するうえで考えうるｍ種類の接続型式に対応したコネクタ３１−１〜３１−ｍが設けられている。これより、様々な接続形式の監視制御装置２０と物理的に接続することが可能となる。また、インタフェース部３０−１には、記憶部３２に記憶された変換プログラムに基づいて入力された信号の伝送方式を所定の伝送方式に変換する伝送方式変換部３３が設けられ、処理ユニット１０−１における伝送方式と監視制御装置２０における信号の伝送方式とが一致していなくても、信号の送受信を正常に行うことが可能となる。【選択図】      図１
2010050545.tif 000002
【特許請求の範囲】
【請求項１】
入力情報が複数の処理ユニットにより順次処理されて出力され、前記各処理ユニットは監視制御装置から供給される制御信号により処理制御されると共に処理状況を示す監視信号を監視制御装置に供給する監視制御システムにおいて、
予め設定された変換プログラムに基づいて、前記処理ユニットからの監視信号の伝送方式を前記監視制御装置の伝送方式に変換し、前記監視制御装置からの制御信号の伝送方式を前記処理ユニットの伝送方式に変換する伝送方式変換手段を備えるインタフェース手段を前記処理ユニットと監視制御装置との間に具備することを特徴とする監視制御システム。
【請求項２】
前記インタフェース手段は、前記監視制御装置と前記処理ユニットとを接続するための複数型式の物理的接続手段をさらに備えることを特徴とする請求項１記載の監視制御システム。
【請求項３】
前記処理ユニットは、前記インタフェース手段を内部に備えることを特徴とする請求項１記載の監視制御システム。
【請求項４】
前記インタフェース手段は、前記変換プログラムを新たな伝送方式に対応する新変換プログラムに更新する更新手段をさらに備えることを特徴とする請求項１記載の監視制御システム。
【請求項５】
監視信号を監視制御装置に出力し、当該監視制御装置からの前記監視信号に応じた制御信号により制御される処理ユニットにおいて、
前記監視制御装置と接続するものであり、予め設定された変換プログラムに基づいて、前記監視信号の伝送方式を前記監視制御装置の伝送方式に変換し、前記制御信号の伝送方式を予め設定された伝送方式に変換する伝送方式変換手段を備えるインタフェース手段を具備することを特徴とする処理ユニット。
【請求項６】
前記インタフェース手段は、前記監視制御装置と前記処理ユニットとを接続するための複数型式の物理的接続手段を備えることを特徴とする請求項５記載の処理ユニット。
【請求項７】
前記インタフェース手段は、前記変換プログラムを新たな伝送方式に対応する新変換プログラムに更新する更新手段をさらに備えることを特徴とする請求項５記載の処理ユニット。
【発明の詳細な説明】
【技術分野】
【０００１】
本発明は、システム内の処理ユニットの状態を監視し、その状態に応じて処理ユニットの処理を制御する監視制御システム及び処理ユニットに関する。
【背景技術】
【０００２】
近年、システム内で処理を行う複数の処理ユニットを監視制御装置によりそれぞれ監視し、処理ユニットからの処理状況を示す監視信号に基づいてこれら処理ユニットを処理制御する監視制御システムが提供されている。このとき、監視制御システムにおける処理ユニットには、監視制御装置のインタフェース及び伝送方式に適応したものが使用される。
【０００３】
ところで、処理ユニットのアップグレードを目的として、処理ユニット自体又は部品の交換が行われる場合がある。このような場合、アップグレード後の処理ユニットが監視制御装置のインタフェース及び伝送方式に適応しているときは問題ないが、適応していない場合には、その処理ユニットを監視制御装置のインタフェース及び伝送方式に適応するように互換改修しなければならず、煩雑な交換作業を余儀なくされる。
【０００４】
なお、既存の制御ユニットと同一寸法の収納ケースに新たな制御ユニットと制御ユニットからの電気信号の互換性を提供するインタフェース部とを設けることにより、制御ユニットの更新を容易にする例が提案されている（例えば、特許文献１参照）。
【特許文献１】特開２００５−２３７１０６号公報
【発明の開示】
【発明が解決しようとする課題】
【０００５】
以上のように、従来の監視制御システムでは、処理ユニットをアップグレードする際、監視制御装置のインタフェース及び伝送方式に適応しない場合には、処理ユニットの互換改修が必要となっていた。
【０００６】
本発明は上記事情によりなされたもので、その目的は、処理ユニットをアップグレードする場合に監視制御装置のインタフェース及び伝送方式に適応しない場合であっても、処理ユニットを互換改修することなく簡単に交換することのできる監視制御システム及び処理ユニットを提供することにある。
【課題を解決するための手段】
【０００７】
上記目的を達成するため、本発明に係る監視制御システムは、入力情報が複数の処理ユニットにより順次処理されて出力され、前記各処理ユニットは監視制御装置から供給される制御信号により処理制御されると共に処理状況を示す監視信号を監視制御装置に供給する監視制御システムにおいて、予め設定された変換プログラムに基づいて、前記処理ユニットからの監視信号の伝送方式を前記監視制御装置の伝送方式に変換し、前記監視制御装置からの制御信号の伝送方式を前記処理ユニットの伝送方式に変換する伝送方式変換手段を備えるインタフェース手段を前記処理ユニットと監視制御装置との間に具備することを特徴とする。
【０００８】
また、本発明に係る処理ユニットは、監視信号を監視制御装置に出力し、当該監視制御装置からの前記監視信号に応じた制御信号により制御される処理ユニットにおいて、前記監視制御装置と接続するものであり、予め設定された変換プログラムに基づいて、前記監視信号の伝送方式を前記監視制御装置の伝送方式に変換し、前記制御信号の伝送方式を予め設定された伝送方式に変換する伝送方式変換手段を備えるインタフェース手段を具備することを特徴とする。
【０００９】
上記構成による監視制御システム及び処理ユニットでは、インタフェース手段における伝送方式変換手段により、伝送される信号の伝送方式を所定の方式に変換するため、監視制御装置と処理ユニットとの間の信号の伝送方式が一致していなくても、監視制御装置と処理ユニットとの間で信号の送受信を正常に行うことが可能となる。
【発明の効果】
【００１０】
本発明によれば、処理ユニットをアップグレードする場合に監視制御装置のインタフェース及び伝送方式に適応しない場合であっても、処理ユニットを互換改修することなく簡単に交換することのできる監視制御システム及び処理ユニットを提供することができる。
【発明を実施するための最良の形態】
【００１１】
以下、図面を参照しながら本発明の実施の形態について詳細に説明する。
【００１２】
（第１の実施形態）  
図１は、本発明に係わる第１の実施形態の監視制御システムの機能構成を示すブロック図である。図１における監視制御システムは、処理ユニット１０−１〜１０−ｎ（ｎは自然数）と、監視制御装置２０とを具備しており、処理ユニット１０−１〜１０−ｎは、インタフェース部３０−１〜３０−ｎを備えている。
【００１３】
処理ユニット１０−１〜１０−ｎは、制御信号に従って一連の信号処理における各処理を担うもので、例えば処理ユニット１０−１に入力された信号を、処理ユニット１０−１から処理ユニット１０−ｎで順次処理して出力する。また、処理ユニット１０−１〜１０−ｎそれぞれは、処理状況を示す監視信号を監視制御装置２０に出力する。
【００１４】
一方、監視制御装置２０は、処理ユニット１０−１〜１０−ｎから出力される監視信号を受け取って各処理ユニットの処理状況を把握し、各処理ユニットに個々の処理に対する制御信号を送る。
【００１５】
図２は、上記処理ユニット１０−１のインタフェース部３０−１の機能構成を示すブロック図である。なお、処理ユニット１０−２〜１０−ｎにおけるインタフェース部３０−２〜３０−ｎもインタフェース部３０−１と同様の構成である。処理ユニット１０−１は、インタフェース部３０−１を介して監視信号の送信及び制御信号の受信を行い、インタフェース部３０−１は、複数形式のコネクタ３１−１〜３１−ｍと、記憶部３２と、伝送方式変換部３３と、インストール部３４とを備える。
【００１６】
コネクタ３１−１〜３１−ｍ（ｍは自然数）それぞれは、監視制御装置２０と接続するうえで考えうるｍ種類の接続型式に対応するものであり、インタフェース部３０−１に整列して設けられている。コネクタ３１−１〜３１−ｍのうちのいずれかは、監視制御装置２０の接続型式と対応しており、監視制御装置２０と物理的に接続する。ここで、コネクタ３１−１〜３１−ｍの接続型式は、接点データの送受信に対応した型式、信号のシリアル転送に対応した型式、イーサネット（登録商標）に対応した型式及び９ピンや２５ピン等のＤ−Ｓｕｂ（Subminiature-D）に対応した型式等である。
【００１７】
記憶部３２は、予め設定された変換プログラムを記憶している。また、インストール部３４によって新たな変換プログラムを追加記憶することができる。
【００１８】
インストール部３４は、記憶部３２に記憶されていない新たな変換プログラムをインストールする。
【００１９】
伝送方式変換部３３は、記憶部３２に記憶された変換プログラムに基づいて、処理ユニット１０−１から出力される監視信号の伝送方式を監視制御装置２０の伝送方式に変換し、監視制御装置２０から出力される制御信号の伝送方式を処理ユニット１０−１の伝送方式に変換する。
【００２０】
上記構成による監視制御システムでは、インタフェース部３０−１〜３０−ｎにおけるコネクタ３１−１〜３１−ｍの接続型式が、監視制御装置２０について想定し得る接続形式に対応している。そのため、処理ユニット１０−１〜１０−ｎは、様々な接続形式の監視制御装置２０と物理的に接続することが可能となる。また、インタフェース部３０−１〜３０−ｎにおける伝送方式変換部３３は、記憶部３２に記録されている変換プログラムに基づいて処理ユニット１０−１〜１０−ｎの伝送方式を監視制御装置２０の伝送方式に適応させるようにしている。そのため、処理ユニット１０−１〜１０−ｎにおける伝送方式と監視制御装置２０における伝送方式とが一致していなくても、両者間で信号の送受信を正常に行うことが可能となる。
【００２１】
これらのことから、処理ユニット１０−１〜１０−ｎのうちいずれかをアップデートする場合、アップデート対象の処理ユニットを互換改修することなく、その接続型式及び信号の伝送方式を監視制御システムで用いられているものに適応させることが可能となる。
【００２２】
したがって、第１の実施形態に係わる監視制御システム及び処理ユニットは、処理ユニットをアップグレードする場合であっても、アップグレード対象の処理ユニットの互換改修が不要となり、簡単にシステム統合することができる。
【００２３】
以下、上記構成の監視制御システムの具体例として、ＴＶ送信機を例に挙げてより詳細に説明する。
【００２４】
図３は上記ＴＶ送信機の構成を示すブロック図である。図３において、ＴＶ送信機は、図１に示す処理ユニットとしてデコーダ１１、エキサイタ１２及びＰＡ（Power Amplifier）１３を備える。デコーダ１１は、入力信号をクロック信号に同期して復号化し、エキサイタ１２に出力する。エキサイタ１２は、復号化された信号における信号の歪みをローカル周波数に基づいて補償し、ＰＡ１３に出力する。ＰＡ１３は、歪み補償された信号を増幅して後段に出力する。デコーダ１１、エキサイタ１２及びＰＡ１３は、それぞれ図２に示す構成のインタフェース部３０−１〜３０−３をそれぞれ備えている。
【００２５】
一方、監視制御装置２０は、デコーダ１１から出力される監視信号を参照してそのデコード処理状況を把握し、その処理状況に応じてデコーダ１１にクロック信号を制御するクロック制御信号を出力する。また、監視制御装置２０は、エキサイタ１２から出力される監視信号を参照してその周波数変換処理状況を把握し、その処理状況に応じてエキサイタ１２にローカル周波数を制御する制御信号を出力する。また、監視制御装置２０は、ＰＡ１３から出力される監視信号を参照してその増幅処理状況を把握し、その処理状況に応じてＰＡ１３に増幅度を制御する制御信号を出力する。
【００２６】
上記構成において、インタフェース部３０−１〜３０−ｎは、コネクタ３１−１〜３１−ｍの接続型式が監視制御装置２０について想定し得る接続形式に対応している。そのため、デコーダ１１、エキサイタ１２及びＰＡ１３は、様々な接続形式の監視制御装置２０と物理的に接続することが可能となる。
【００２７】
例えば、シリアル転送形式による接続形式のデコーダ１１をアップグレードする場合に、その対象デコーダ１１′がＤ−Ｓｕｂ形式であったとする。この場合、通常ならば、アップグレード対象のデコーダ１１自体をシリアル転送形式に互換改修しなければならず、煩雑な作業が強いられてしまう。そこで、本発明では、上記構成によるインタフェース部３０−ｉ（ｉは１〜ｎのいずれか）を用い、対象デコーダ１１′をインタフェース部３０−ｉにおけるＤ−Ｓｕｂ形式のコネクタに接続し、伝送方式変換部３３において、記憶部３２に記録されている変換プログラムに基づいてＤ−Ｓｕｂ形式をシリアル転送形式に変換するようにしている。
【００２８】
したがって、上記構成によるテレビ放送機において、デコーダ１１、エキサイタ１２及びＰＡ１３のいずれかをアップグレードする際に、アップグレード対象がシステムのインタフェース及び伝送方式に適合しない場合であっても、インタフェース部３０−ｉを用いることで、アップグレード対象のデコーダ１１、エキサイタ１２及びＰＡ１３と監視制御装置２０との間で信号の送受信を正常に行うことが可能となる。
【００２９】
上記具体例の説明からわかるように、処理ユニット１０−１〜１０−ｎのうちいずれかをアップデートする場合、アップデート後の処理ユニットは、その接続型式及び信号の伝送方式を監視制御システムで用いられているものに適応させることが可能となる。
【００３０】
したがって、第１の実施形態に係わる監視制御システムは、処理ユニットをアップグレードする場合であっても、処理ユニットを互換改修せずにアップグレードさせることができる。
【００３１】
（第２の実施形態）  
図４は、本発明に係わる第２の実施形態の監視制御システムの機能構成を示すブロック図である。図４において図１と同一部分には同じ符号を付して示し、ここでは異なる部分についてのみ説明する。図４における監視制御システムは、処理ユニット４０−１〜４０−ｎと対応するインタフェース部５０−１〜５０−ｎとを別々に構成するものである。
【００３２】
この第２の実施形態によれば改修等により処理ユニットの取付け空間が狭くなる際に対応することができる。
【００３３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００３４】
【図１】本発明に係わる第１の実施形態の監視制御システムの機能構成を示すブロック図である。
【図２】図１のインタフェース部の機能構成を示すブロック図である。
【図３】図１の監視制御システムの一例であるＴＶ送信機の構成を示すブロック図である。
【図４】本発明に係わる第２の実施形態の監視制御システムの機能構成を示すブロック図である。
【符号の説明】
【００３５】
１０−１〜１０−ｎ…処理ユニット
１１…デコーダ
１２…エキサイタ
１３…ＰＡ
２０…監視制御装置
３０−１〜３０−ｎ…インタフェース部
３１−１〜３１−ｍ…コネクタ
３２…記憶部
３３…伝送方式変換部
３４…インストール部
４０−１〜４０−ｎ…処理ユニット
５０−１〜５０−ｎ…インタフェース部
【図１】
2010050545.tif 000003
【図２】
2010050545.tif 000004
【図３】
2010050545.tif 000005
【図４】
2010050545.tif 000006